(57)【特許請求の範囲】
【請求項１】
ＯＦＤＭ被変調波から成るディジタル放送信号の受信信号を所定の中間周波数に周波数変換し、中間周波信号帯域幅に帯域制限して出力する周波数変換手段と、周波数変換手段の出力側に設けられて自動利得調整を行う自動利得調整手段と、を含む受信手段と、受信手段の出力からユーザ所望の番組情報を復調する番組情報復調手段と、複数のディジタル放送の周波数情報を記憶した記憶手段と、受信信号からＮＵＬＬシンボルの有無を検出するＮＵＬＬシンボル検出手段と、シークが指示されたとき、受信手段を記憶手段に記憶された各ディジタル放送の周波数に順に同調させていき、或る受信周波数でＮＵＬＬシンボル検出手段でＮＵＬＬシンボルが検出されたときシークを止め、ＮＵＬＬシンボルが検出されなければシークを続行するシーク制御手段と、を備えたディジタル放送受信機において、
前記周波数変換手段から出力された自動利得調整前の中間周波信号を入力する中間周波信号の信号帯域幅より狭い通過帯域幅を有する狭帯域帯域通過手段を設け、
ＮＵＬＬシンボル検出手段は、狭帯域帯域通過手段から出力された中間周波信号のレベルが所定の基準レベルを越えているときに、当該中間周波信号からＮＵＬＬシンボルの有無を検出するようにしたこと、
を特徴とするディジタル放送受信機。
【請求項２】
ＯＦＤＭ被変調波から成るディジタル放送信号の受信信号を所定の中間周波数に周波数変換し、中間周波信号帯域幅に帯域制限して出力する周波数変換手段と、周波数変換手段の出力側に設けられて自動利得調整を行う自動利得調整手段と、を含む受信手段と、受信手段の出力からユーザ所望の番組情報を復調する番組情報復調手段と、周波数誤差を検出し、周波数誤差を打ち消す様に周波数調整を行う自動周波数調整手段と、複数のディジタル放送の周波数情報を記憶した記憶手段と、受信信号からＮＵＬＬシンボルの有無を検出するＮＵＬＬシンボル検出手段と、シークが指示されたとき、受信手段を記憶手段に記憶された各ディジタル放送の周波数に順に同調させていき、或る受信周波数でＮＵＬＬシンボル検出手段でＮＵＬＬシンボルが検出されたときシークを止め、自動周波数調整手段に周波数調整を行わせ、ＮＵＬＬシンボルが検出されなければシークを続行するシーク制御手段と、を備えたディジタル放送受信機において、
ＮＵＬＬシンボル検出手段は、周波数変換手段から出力された自動利得調整前の中間周波信号のレベルが所定の基準レベルを越えているときに、当該中間周波信号からＮＵＬＬシンボルの有無を検出するようにし、
シーク制御手段は、シークが指示されたとき、受信手段を記憶手段に記憶された各ディジタル放送の周波数に順に同調させていき、或る受信周波数でＮＵＬＬシンボル検出手段でＮＵＬＬシンボルが検出されたとき、更に、自動周波数調整手段に周波数調整を行わせ、一定時間内に周波数誤差が一定以下に収束すればシークを止め、一定時間内に周波数誤差が一定以下に収束しなければシークを続行するようにしたこと、
を特徴とするディジタル放送受信機。
【請求項３】
前記周波数変換手段から出力された自動利得調整前の中間周波信号を入力する中間周波信号の信号帯域幅より狭い通過帯域幅を有する狭帯域帯域通過手段を設け、
ＮＵＬＬシンボル検出手段は、狭帯域帯域通過手段から出力された中間周波信号のレベルが所定の基準レベルを越えているときに、当該中間周波信号からＮＵＬＬシンボルの有無を検出するようにしたこと、
を特徴とする請求項２記載のディジタル放送受信機。
【請求項４】
ＯＦＤＭ被変調波から成るディジタル放送信号の受信信号を所定の中間周波数に周波数変換し、中間周波信号帯域幅に帯域制限して出力する周波数変換手段と、周波数変換手段の出力側に設けられて自動利得調整を行う自動利得調整手段と、を含む受信手段と、受信手段の出力からユーザ所望の番組情報を復調する番組情報復調手段と、複数のディジタル放送の周波数情報を記憶した記憶手段と、受信信号からＮＵＬＬシンボルの有無を検出するＮＵＬＬシンボル検出手段と、シークが指示されたとき、受信手段を記憶手段に記憶された各ディジタル放送の周波数に順に同調させていき、或る受信周波数でＮＵＬＬシンボル検出手段でＮＵＬＬシンボルが検出されたときシークを止め、ＮＵＬＬシンボルが検出されなければシークを続行するシーク制御手段と、を備えたディジタル放送受信機において、
周波数変換手段から出力された自動利得調整前の中間周波信号のレベルが基準レベルを越えているか判別する判別手段を設けるとともに、
前記周波数変換手段から出力された中間周波信号を入力する中間周波信号の信号帯域幅より狭い通過帯域幅を有する狭帯域帯域通過手段を設け、
判別手段は狭帯域帯域通過手段から出力される中間周波信号のレベルが基準レベルを越えているか判別するようにし、
ＮＵＬＬシンボル検出手段は、狭帯域帯域通過手段から出力された自動利得調整前の中間周波信号からＮＵＬＬシンボルの有無を検出するようにしたこと、
を特徴とするディジタル放送受信機。
【請求項５】
ＯＦＤＭ被変調波から成るディジタル放送信号の受信信号を所定の中間周波数に周波数変換し、中間周波信号帯域幅に帯域制限して出力する周波数変換手段と、周波数変換手段の出力側に設けられて自動利得調整を行う自動利得調整手段と、を含む受信手段と、受信手段の出力からユーザ所望の番組情報を復調する番組情報復調手段と、周波数誤差を検出し、周波数誤差を打ち消す様に周波数調整を行う自動周波数調整手段と、複数のディジタル放送の周波数情報を記憶した記憶手段と、受信信号からＮＵＬＬシンボルの有無を検出するＮＵＬＬシンボル検出手段と、シークが指示されたとき、受信手段を記憶手段に記憶された各ディジタル放送の周波数に順に同調させていき、或る受信周波数でＮＵＬＬシンボル検出手段でＮＵＬＬシンボルが検出されたときシークを止め、自動周波数調整手段に周波数調整を行わせ、ＮＵＬＬシンボルが検出されなければシークを続行するシーク制御手段と、を備えたディジタル放送受信機において、
周波数変換手段から出力された自動利得調整前の中間周波信号のレベルが基準レベルを越えているか判別する判別手段を設けるとともに、
ＮＵＬＬシンボル検出手段は、周波数変換手段から出力された自動利得調整前の中間周波信号からＮＵＬＬシンボルの有無を検出するようにし、
シーク制御手段は、シークが指示されたとき、受信手段を記憶手段に記憶された各ディジタル放送の周波数に順に同調させていき、或る受信周波数で判別手段により周波数変換手段から出力された自動利得調整前の中間周波信号のレベルが基準レベルを越えていると判別され、かつ、ＮＵＬＬシンボル検出手段でＮＵＬＬシンボルが検出されたとき、更に、自動周波数調整手段に周波数調整を行わせ、一定時間内に周波数誤差が一定以下に収束すればシークを止め、一定時間内に周波数誤差が一定以下に収束しなければシークを続行するようにしたこと、
を特徴とするディジタル放送受信機。
【請求項６】
前記周波数変換手段から出力された中間周波信号を入力する中間周波信号の信号帯域幅より狭い通過帯域幅を有する狭帯域帯域通過手段を設け、
判別手段は狭帯域帯域通過手段から出力される中間周波信号のレベルが基準レベルを越えているか判別するようにし、
ＮＵＬＬシンボル検出手段は、狭帯域帯域通過手段から出力された自動利得調整前の中間周波信号からＮＵＬＬシンボルの有無を検出するようにしたこと、
を特徴とする請求項５記載のディジタル放送受信機。
【発明の詳細な説明】
【０００１】
【発明の属する技術分野】
本発明はディジタル放送受信機に係り、とくに、シークが指示されたとき、複数のディジタル放送の周波数に順に同調させていき、受信可能なディジタル放送が見つかった所でシークを止めるシーク機能付のディジタル放送受信機に関する。
【０００２】
【従来の技術】
ヨーロッパでは、ＤＡＢ（ディジタルオーディオブロードキャスティング；    Ｄｉｇｉｔａｌ  Ａｕｄｉｏ  Ｂｒｏａｄｃａｓｔｉｎｇ）  と呼ばれるディジタルオーディオ放送が実用化されている。このＤＡＢでは、マルチキャリア変調方式の一種であるＯＦＤＭ（直交周波数分割多重変調；Ｏｒｔｈｏｇｏｎａｌ  Ｆｒｅｑｕｅｎｃｙ  Ｄｉｖｉｓｉｏｎ  Ｍｕｌｔｉｐｌｅｘ  ）という変調方式が使われており、伝送シンボルをガードインターバルと有効シンボルから構成することで、マルチパスに強い受信を可能としている。ＤＡＢの各キャリアはＤＱＰＳＫ変調されている。
【０００３】
ＤＡＢではバンドＩＩ（８７〜１０８ＭＨｚ帯）、バンドＩＩＩ  （１７５  〜２５０ＭＨｚ帯）、Ｌバンド（１．４５２  〜１．４９２ＧＨｚ帯）の３つのバンドが使用されており、バンドＩＩとＩＩＩ  では伝送フレーム周期９６ｍｓ、キャリア間隔１ｋＨｚの伝送モード１（マルチパスに強く、ＳＦＮ；単一周波数ネットワークに向く）が利用されている（伝送モード１はバンドＩＩ、ＩＩＩ  での使用に限定されている）。Ｌバンドではフレーム周期２４ｍｓ、キャリア間隔４ｋＨｚの伝送モード２（移動に強い）、フレーム周期２４ｍｓ、キャリア間隔８ｋＨｚの伝送モード３（衛星放送など）、フレーム周期４８ｍｓ、キャリア間隔２ｋＨｚの伝送モード４が利用される。
【０００４】
図５の上側にＤＡＢの伝送モード１における伝送フレーム信号のフォーマットを示す。最初に１．２９７ｍｓ  のＮＵＬＬシンボルと１．２４６ｍｓ  の位相参照シンボル（  ＰＲＳ；Ｐｈａｓｅ  Ｒｅｆｅｒｅｎｃｅ  Ｓｙｍｂｏｌ）  から成る同期信号が有り、続いて、１．２４６ｍｓ  ずつのＯＦＤＭシンボルが７５個含まれている。ＮＵＬＬシンボル以外は、伝送シンボルであり、０．２４６ｍｓ  がガードインターバル、残りの１ｍｓが有効シンボルである。
【０００５】
Ｓ＝１番目の伝送シンボルがＡＦＣ（自動周波数調整）などを行うために用いられるＰＲＳであり、予め定められた特定の符号（ＣＡＺＡＣ符号；Ｃｏｎｓｔａｎｔ    Ａｍｐｌｉｔｕｄｅ  Ｚｅｒｏ  Ａｕｔｏ  Ｃｏｒｒｅｌａｔｉｏｎ  符号と呼ばれる）が隣接キャリア間差動変調されている。Ｓ＝２〜４番目の伝送シンボルは受信機が所望番組を選局するのに必要な情報や、番組に対する補助情報などを伝送するＦＩＣ（高速情報チャンネル；Ｆａｓｔ  Ｉｎｆｏｒｍａｔｉｏｎ  Ｃｈａｎｎｅｌ）、Ｓ＝５〜７６番目の伝送シンボルは音声やデータのサブチャンネル（Ｓｕｂ  Ｃｈａｎｎｅｌ）  を多重して伝送するＭＳＣ（Ｍａｉｎ  ＳｅｒｖｉｃｅＣｈａｎｎｅｌ）  である。通常、サブチャンネル１つが１番組に相当し、サブチャンネルがＭＳＣ内でどのように多重化されているかを示す構造情報がＦＩＣに含まれており、ＦＩＣを参照してユーザ所望の番組に係るサブチャンネルを抽出可能となっている。
伝送モード２は図５の各シンボル周期を１／４にしたものであり、伝送モード３は図５の各シンボル周期を１／８にするとともにＯＦＤＭシンボル数を増やしたものである。伝送モード４は図５の各シンボル周期を１／２にしたものである。
【０００６】
図６はシーク機能付ＤＡＢ受信機の構成図である。
例えば、アンテナ１でキャッチされたバンドＩＩによるＤＡＢ放送信号（アンサンブルとも呼ばれる）の受波信号はフロントエンド２に送られ、ＡＧＣ電圧でゲインを可変できるＲＦ増幅回路３で高周波増幅されたあと、混合器４でＰＬＬ回路５から入力した第１ローカル発振信号Ｌ１  と混合されて中心周波数がｆＩＦ１  の第１中間周波信号に変換される。ＰＬＬ回路５は基準発振器６から入力した基準発振信号の周波数ｆ１  に対し、ｆ１  ・（ｎ１  ／ｍ１  ）倍の周波数のＬ１  を出力する。ｍ１  は固定値であるがｎ１  は後述するマイコン構成のシステムコントローラにより可変設定されることで、同調周波数を例えば１６ｋＨｚ  ステップで可変する。基準発振器６はＶＣＸＯであり、自動周波数調整用の制御電圧に応じて発振周波数を可変する。第１中間周波信号はＳＡＷフィルタ（弾性表面波フィルタ）７により１．５３６ＭＨｚの通過帯域幅に帯域制限される。
【０００７】
ＳＡＷフィルタ７の出力は、ＡＧＣ増幅器８を経て、混合器９でＰＬＬ回路１０から入力した第２ローカル発振信号Ｌ２  と混合されて中心周波数がｆＩＦ２  （＜ｆＩＦ１  ）の第２中間周波信号に変換される。ＰＬＬ回路１０は基準発振器６から入力した基準発振信号の周波数ｆ１  に対し、ｆ１  ・（ｎ２  ／ｍ２  ）倍の周波数のＬ２  を出力する。ｎ２  、ｍ２  はいずれも固定値である。第２中間周波信号はアンチエリアシングフィルタ１１により帯域制限される。
【０００８】
アンチエリアシングフィルタ１１から出力される第２中間周波信号は包絡線検波回路１２で包絡線検波され、ＡＧＣ電圧としてＲＦ増幅回路３、ＡＧＣ増幅器８に出力される（図５のａ参照）。ＲＦ増幅回路３、ＡＧＣ増幅器８はＡＧＣ電圧の増減に応じてゲインを減少させたり、増大させたりし、アンテナ入力レベルの大小によらずほぼ一定レベルの第２中間周波信号が得られるようにする。包絡線検波回路１２の出力は、ＮＵＬＬシンボルを検出するためにＮＵＬＬ検出回路１３に入力される。ＮＵＬＬ検出回路１３では、ＮＵＬＬシンボル部分が波形整形されたのち（図５のｂ参照）、立ち下がり時間長Ｔｄが計測され、ＤＡＢで規定されたいずれかの伝送モードのＮＵＬＬシンボル長に一致するとき、立ち上がりエッジのタイミングでＮＵＬＬシンボル検出信号ＮＤ（図５のｃ参照）がタイミング同期回路１４、システムコントローラなどに出力される。また、伝送モード検出信号ＴＭも出力される（図５のｄ参照。なお、図５のｄではＴｄ＝１．２９７  ｍｓであったため伝送モード検出信号ＴＭとして伝送モード１が出力された場合を示す）。
【０００９】
タイミング同期回路１４は、通常は後述するＦＦＴ回路から入力したＰＲＳ部分（有効シンボル期間）のキャリア別成分を入力し、キャリア別パワーを計算したのちＩＦＦＴ処理をして求めたケプストラムからフレーム同期を検出し、同期検出信号を図示しないタイミング信号生成回路に出力し、各種タイミング信号を生成させる。但し、或るアンサンブルの受信を開始した直後は、ＮＵＬＬ検出回路１３から入力したＮＵＬＬシンボル検出信号ＮＤを用いてフレーム同期を検出し、同期検出信号を出力する。
【００１０】
アンチエリアシングフィルタ１１の出力はＡ／Ｄ変換器３０でＡ／Ｄ変換されたあと、Ｉ／Ｑ復調回路３１でＩ／Ｑ成分の復調がなされ、図５に示す伝送フレーム信号が復元される。そして、復調されたＩ／Ｑ成分に対し専用プロセッサで構成されたＦＦＴ回路３２でＦＦＴ処理がなされ、シンボル単位で、ＯＦＤＭ被変調波を構成するｎ本（伝送モード１の場合、ｎ＝１５３６、伝送モード２の場合、ｎ＝３８４本、伝送モード３の場合、ｎ＝１９２本、伝送モード４の場合、ｎ＝７６８本）のキャリアについてのキャリア別成分（キャリア別の複素数データ）が抽出される。ＦＦＴ回路３２は所定のタイミング信号に従い、ＰＲＳ部分の有効シンボル期間のキャリア別成分を周波数誤差検出回路３３に出力する。周波数誤差検出回路３３では、ＰＲＳ部分のキャリア別成分をキャリア間差動復調して復号したのち（ＰＲＳ部分は送信側で所定の固定符号がキャリア間差動変調されている）、所定の基準符号との間の相関関数を計算する（相関関数のグラフは図９参照）。そして、この相関関数から同調周波数とＤＡＢ放送信号の周波数の周波数誤差を計算により検出する。周波数誤差検出回路３３はシステムコントローラによりＡＦＣがオンされている間、周波数誤差データを積分回路３４に出力する（ＡＦＣがオフしている間は、周波数誤差が零であることを示すデータを出力する）。積分回路３４での積分データはＤ／Ａ変換器３５でＤ／Ａ変換されたあと、基準発振器６に自動周波数調整用の制御電圧として出力される。基準発振器６は制御電圧に応じて発振周波数を可変し、基準発振信号の周波数ｆ１  を、周波数誤差を打ち消す方向に可変させる。
【００１１】
ＦＦＴ回路３２は図５のＳ＝２〜７６の各伝送シンボル（有効シンボル期間）につきＦＦＴ後のキャリア別成分（キャリア別の複素数データ）をチャンネルデコーダ３６に出力する。チャンネルデコーダ３６ではＤＱＰＳＫシンボルデマッピング、ＦＩＣ／ＭＳＣ分離が行われ、ＦＩＣの３つの有効シンボルは３つ合わせて４等分されたあと、誤り検出／訂正（ビタビ復号）、デスクランブルの処理を経て１２個のＦＩＢ（高速情報ブロック；Ｆａｓｔ  Ｉｎｆｏｒｍａｔｉｏｎ  Ｂｌｏｃｋ）  となり、ＦＩＧ（高速情報グループ；Ｆａｓｔ  Ｉｎｆｏｒｍａｔｉｏｎ  Ｇｒｏｕｐ  ）と呼ばれるデータの形でシステムコントローラに出力される。
一方、ＭＳＣの有効シンボルは、１８シンボルずつに分けられて４つのＣＩＦ（Ｃｏｍｍｏｎ  Ｉｎｔｅｒｌｅａｖｅｄ  Ｆｒａｍｅ）  に再構成される。各ＣＩＦは複数のサブチャンネル（Ｓｕｂ  Ｃｈａｎｎｅｌ）を含み、通常、１つのサブチャンネルが１番組に相当する。
【００１２】
ユーザが操作パネル３７の番組選択キーで所望番組の選択操作をすると、システムコントローラ３８は所定の番組選択制御をし、ＦＩＣの情報を参照して所望番組に対応するサブチャンネルの指定情報を出力し、チャンネルデコーダ３６は４つのＣＩＦの中からシステムコントローラ３８により指定されたサブチャンネルを分離したのち、タイムディインターリーブ、誤り検出／訂正（ビタビ復号）、デスクランブルを行ってＤＡＢオーディオフレームデータを復号し、復号したＤＡＢオーディオフレームデータをＭＰＥＧデコーダ３９へ出力する。
ＭＰＥＧデコーダ３９はＤＡＢオーディオフレームデータをデコードし、２チャンネル分のオーディオデータを出力する。このオーディオデータは、Ｄ／Ａ変換器４０でＤ／Ａ変換され、アナログオーディオ信号として出力される。
【００１３】
操作パネル３７にはシークキーも設けられている。またメモリ４１には、複数のアンサンブルの放送周波数データが記憶されている。システムコントローラ３８は操作パネル３７でシークキーが押されてシーク指令が与えられると、アンサンブルのシーク制御を行う。以下、図７に示すフローチャートを参照してシーク制御処理を説明する。
シーク指令が与えられるとシステムコントローラ３８は周波数誤差検出回路３３に対しＡＦＣオフ指令を与えて、周波数誤差零を示すデータの出力をさせ、基準発振器６の発振周波数を固定させる（図７のステップＳ１）。
【００１４】
そして、メモリ４１を参照して最初のアンサンブルの放送周波数データを読み出し、対応するｎ１  をＰＬＬ回路５に設定し、最初のアンサンブルに同調させる（ステップＳ２）。次に、ＮＵＬＬ検出回路１３からＮＵＬＬシンボル検出信号が入力されたかチェックする（ステップＳ３）。今回の受信周波数でアンサンブルがキャッチされると、ＮＵＬＬシンボル部分で包絡線検波回路１２の出力が落ちる。ＮＵＬＬ検出回路１３は包絡線検波回路１２の出力を波形整形し、立ち上がりエッジでＮＵＬＬシンボル検出信号ＮＤを出力する。システムコントローラ３８はＮＵＬＬシンボル検出信号ＮＤが入力されると、ステップＳ３でＹＥＳと判断し、今回の受信周波数でのＤＡＢ放送信号有りとして周波数誤差検出回路３３にＡＦＣオン指令を与え、シーク制御処理を終える（ステップＳ４）。
【００１５】
フロントエンド２の出力はＩ／Ｑ復調回路３１でＩ／Ｑ復調されたのち、ＦＦＴ回路３２でＦＦＴ処理がされる。ＰＲＳ部分のキャリア別成分は、周波数誤差検出回路３３により、キャリア間差動復調されて復号されたのち、該復号した符号と所定の基準符号との間の相関関数が計算される。相関関数のグラフの一例を図９に示す（図９の横軸は周波数、縦軸は相関値）。この相関関数から同調周波数とＤＡＢ放送信号の周波数の周波数誤差が計算により検出される。
【００１６】
今、第１中間周波信号で見た受信アンサンブルのスペクトラム分布の中心が図８の実線Ａに示す如く、正規の中心周波数ｆＩＦ１  より周波数の高い方にずれていた場合（図８中の一点鎖線ＢはＳＡＷフィルタ７の減衰特性）、相関関数のグラフは図９の如くなる。周波数誤差検出回路３３はＡＦＣオン指令が与えられているとき、相関関数から計算により検出した周波数誤差を示す周波数誤差データを出力する。周波数誤差データは積分回路３４で積分されたあと、Ｄ／Ａ変換器３５でＤ／Ａ変換されて基準発振器６へ出力される。
【００１７】
基準発振器６は制御電圧に応じて発振周波数を可変し、第１ローカル発振信号Ｌ１  と第２ローカル発振信号Ｌ２  の周波数を、周波数誤差を打ち消す方向に可変させる。この結果、第１中間周波信号で見た受信アンサンブルのスペクトラム分布は周波数が低い方にシフトし（図８中の矢印Ｃ参照）、最終的に図１０の符号Ａ´に示す如く、ＳＡＷフィルタ７の通過帯域内に収まる。これにより、チャンネルデコーダ３６は誤りなくＦＩＣとＭＳＣの情報を復元できる。ユーザが操作パネル３７で所望番組を選択すると、システムコントローラ３８はチャンネルデコーダ３６に指示して所望番組のＤＡＢオーディオフレームデータをＭＰＥＧデコーダ３９へ出力させる。これにより、所望番組を聴取できる。
【００１８】
若し、ステップＳ３でＮＯとなったとき、今回の同調周波数で受信できるアンサンブルが存在しないので、システムコントローラ３８はメモリ４１を参照して次のアンサンブルの放送周波数データが存在するかチェックし（ステップＳ５）、存在しないときはシーク制御処理を終え、存在するときは、対応するｎ１  をＰＬＬ回路５に設定し、新たなアンサンブルに同調させたのち、前述と同様の処理を繰り返す（ステップＳ６）。
【００１９】
【発明が解決しようとする課題】
しかし、上記した従来のシーク機能付ＤＡＢ受信機では、ＳＡＷフィルタ７の遮断域の減衰量がそれほど大きくないため、同調周波数に隣接する周波数に他のアンサンブルが存在したとき、シークを終了してしまう問題があった。
すなわち、ＤＡＢの各アンサンブルはＯＦＤＭ被変調波の性質上、周波数スペクトラムが方形の形をしており、各アンサンブルは周波数軸上で狭い間隔で配置されている。このため、ＤＡＢ受信機の第１中間周波信号用の帯域制限フィルタには急峻な減衰特性を持つＳＡＷフィルタ７が用いられるが、大きな減衰量を得ようとすると、ＳＡＷフィルタ７の面積を大きくしなければならず、設置スペースを必要とし、コストも高価になる。よって、通常は、−４０ｄＢ程度の減衰量のものが使用されている。
【００２０】
一方、ＤＡＢ受信機に要求される受信感度は、アンテナ入力が−９０ｄＢｍでも受信可能であることであり、これを実現するために複数段のＡＧＣ増幅による強力なＡＧＣ（自動利得調整）が掛けられている。
すると、シーク中にフロントエンド２が或る受信周波数に同調したとき、図１１に示す如く、ＳＡＷフィルタ７の入力側で見て、通過帯域の上側に隣接したアンサンブルＤ０  が存在すると（図１１の一点鎖線ＢはＳＡＷフィルタ７の減衰特性）、ＳＡＷフィルタ７で−４０ｄＢしか減衰されず、ＳＡＷフィルタ７の出力側に洩れ出る（図１２のＤ１  参照）。アンサンブルＤ０  の成分は、第２中間周波信号に変換されたあと、アンチエリアシングフィルタ１１で更に減衰されるが、通過帯域に信号成分が存在しないことから、包絡線検波回路１２とＲＦ増幅回路３、ＡＧＣ増幅器８の系で掛けられた自動利得調整機能によりレベルが大きく持ち上げられ、図１３のＤ２  の如くなる。
【００２１】
このとき、ＮＵＬＬ検出回路１３はＮＵＬＬシンボルの検出が可能となり、システムコントローラ３８はシークを終了してしまう。しかし、アンサンブルＤ０  の中心周波数とｆＩＦ１  の間には数百ｋＨｚ以上のずれが有るので、ＰＲＳを用いた自動周波数調整能力を越えており、アンサンブルＤ０  を正常に受信することはできない。
本発明は上記した従来技術の問題に鑑み、ディジタル放送のシーク動作を正しく行えるディジタル放送受信機を提供することを、その目的とする。
【００２２】
【課題を解決するための手段】
本発明の請求項１記載のディジタル放送受信機では、ＯＦＤＭ被変調波から成るディジタル放送信号の受信信号を所定の中間周波数に周波数変換し、中間周波信号帯域幅に帯域制限して出力する周波数変換手段（４、７）と、周波数変換手段の出力側に設けられて自動利得調整を行う自動利得調整手段（８、１２）と、を含む受信手段（２Ａ）と、受信手段の出力からユーザ所望の番組情報を復調する番組情報復調手段（３１、３２、３６、３９）と、複数のディジタル放送の周波数情報を記憶した記憶手段（４１）と、受信信号からＮＵＬＬシンボルの有無を検出するＮＵＬＬシンボル検出手段（１６、１７、１３Ａ）と、シークが指示されたとき、受信手段を記憶手段に記憶された各ディジタル放送の周波数に順に同調させていき、或る受信周波数でＮＵＬＬシンボル検出手段でＮＵＬＬシンボルが検出されたときシークを止め、ＮＵＬＬシンボルが検出されなければシークを続行するシーク制御手段（３８Ａ）と、を備えたディジタル放送受信機において、周波数変換手段（４、７）から出力された自動利得調整前の中間周波信号を入力する中間周波信号の信号帯域幅より狭い通過帯域幅を有する狭帯域帯域通過手段（１５）を設け、ＮＵＬＬシンボル検出手段（１６、１７、１３Ａ）は、狭帯域帯域通過手段から出力された中間周波信号のレベルが所定の基準レベルを越えているときに、当該中間周波信号からＮＵＬＬシンボルの有無を検出するようにしたこと、を特徴としている。
【００２３】
請求項１の発明によれば、シーク中に或る受信周波数に同調すると、ＮＵＬＬシンボル検出手段は、周波数変換手段から出力された中間周波信号のレベルが所定の基準レベルを越えているときに、当該中間周波信号からＮＵＬＬシンボルの有無を検出する。
シーク中に或る受信周波数でシーク対象のディジタル放送信号が受信されれば、自動利得調整手段の前段側の周波数変換手段から出力された中間周波信号のレベルが大きくなるが、シーク対象に隣接した周波数の強電界または中電界強度のディジタル放送信号が受信されただけでは、自動利得調整手段の前段側の周波数変換手段から出力され、狭帯域帯域通過手段を通過した中間周波信号のレベルは大きくならない。よって、自動利得調整手段の前段側の周波数変換手段から出力された中間周波信号のレベルが所定の基準レベルを越えているときに、当該中間周波信号よりＮＵＬＬシンボルの有無を検出し、ＮＵＬＬシンボルが検出されたときにシークを止めることで、シーク対象であり、かつ受信可能なディジタル放送を正しく捕捉できる。
シーク中に或る受信周波数に同調したとき、シーク対象の放送周波数に隣接した強電界のディジタル放送信号が受信されても、該妨害成分が狭帯域帯域通過手段で阻止されるので、ＮＵＬＬシンボル検出手段は、より正確にＮＵＬＬシンボルの検出ができ、シーク対象のディジタル放送を正しく受信可能となる。
【００２４】
本発明の請求項２記載のディジタル放送受信機では、ＯＦＤＭ被変調波から成るディジタル放送信号の受信信号を所定の中間周波数に周波数変換し、中間周波信号帯域幅に帯域制限して出力する周波数変換手段（４、７）と、周波数変換手段の出力側に設けられて自動利得調整を行う自動利得調整手段（８、１２）と、を含む受信手段（２Ａ）と、受信手段の出力からユーザ所望の番組情報を復調する番組情報復調手段（３１、３２、３６、３９）と、周波数誤差を検出し、周波数誤差を打ち消す様に周波数調整を行う自動周波数調整手段（３３Ａ、３４、３５、６、５、１０）と、複数のディジタル放送の周波数情報を記憶した記憶手段（４１）と、受信信号からＮＵＬＬシンボルの有無を検出するＮＵＬＬシンボル検出手段（１６、１７、１３Ａ）と、シークが指示されたとき、受信手段を記憶手段に記憶された各ディジタル放送の周波数に順に同調させていき、或る受信周波数でＮＵＬＬシンボル検出手段でＮＵＬＬシンボルが検出されたときシークを止め、自動周波数調整手段に周波数調整を行わせ、ＮＵＬＬシンボルが検出されなければシークを続行するシーク制御手段（３８Ａ）と、を備えたディジタル放送受信機において、ＮＵＬＬシンボル検出手段（１６、１７、１３Ａ）は、周波数変換手段から出力された自動利得調整前の中間周波信号のレベルが所定の基準レベルを越えているときに、当該中間周波信号からＮＵＬＬシンボルの有無を検出するようにし、シーク制御手段（３８Ａ）は、シークが指示されたとき、受信手段を記憶手段に記憶された各ディジタル放送の周波数に順に同調させていき、或る受信周波数でＮＵＬＬシンボル検出手段でＮＵＬＬシンボルが検出されたとき、更に、自動周波数調整手段に周波数調整を行わせ、一定時間内に周波数誤差が一定以下に収束すればシークを止め、一定時間内に周波数誤差が一定以下に収束しなければシークを続行するようにしたこと、を特徴としている。
【００２５】
請求項２の発明によれば、ＮＵＬＬシンボル検出手段は、周波数変換手段から出力された中間周波信号のレベルが所定の基準レベルを越えているときに、当該中間周波信号からＮＵＬＬシンボルの有無を検出する。シーク制御手段は、シークが指示されたとき、受信手段を記憶手段に記憶された各ディジタル放送の周波数に順に同調させていき、或る受信周波数でＮＵＬＬシンボル検出手段でＮＵＬＬシンボルが検出されたとき、更に、自動周波数調整手段に周波数調整を行わせ、一定時間内に周波数誤差が一定以下に収束すればシークを止め、一定時間内に周波数誤差が一定以下に収束しなければシークを続行する。
【００２６】
シーク中に或る受信周波数に同調したとき、周波数軸上で隣接する強電界のディジタル放送信号が受信されたり、移動受信時のフェージング現象等によりディジタル放送信号以外のＴＶ放送信号等に時間軸上のディップが生じるなどして、シーク中にたまたま周波数変換手段から出力された中間周波信号のレベルが所定の基準レベルを越え、当該中間周波信号からＮＵＬＬシンボルが検出されても、自動周波数調整手段で周波数調整することはできない。よって、自動周波数調整手段で周波数調整しても一定時間内に周波数誤差が一定以下に収束しなければシークを続行することで、ディジタル放送を受信できない同調周波数で止まってしまうのを防止できる。
【００２７】
本発明の請求項３記載のディジタル放送受信機では、請求項２の受信機において、周波数変換手段（４、７）から出力された自動利得調整前の中間周波信号を入力する中間周波信号の信号帯域幅より狭い通過帯域幅を有する狭帯域帯域通過手段（１５）を設け、ＮＵＬＬシンボル検出手段（１６、１７、１３Ａ）は、狭帯域帯域通過手段から出力された中間周波信号のレベルが所定の基準レベルを越えているときに、当該中間周波信号からＮＵＬＬシンボルの有無を検出するようにしたことを特徴としている。
これにより、シーク中に或る受信周波数に同調したとき、シーク対象の放送周波数に隣接した強電界のディジタル放送信号が受信されても、該妨害成分が狭帯域帯域通過手段で阻止されるので、ＮＵＬＬシンボル検出手段は、より正確にＮＵＬＬシンボルの検出ができ、シーク対象のディジタル放送を正しく受信可能となる。
【００２８】
本発明の請求項４記載のディジタル放送受信機では、周波数変換手段（４、７）から出力された自動利得調整前の中間周波信号のレベルが基準レベルを越えているか判別する判別手段（１６、１７）を設けるとともに、周波数変換手段（４、７）から出力された自動利得調整前の中間周波信号を入力する中間周波信号の信号帯域幅より狭い通過帯域幅を有する狭帯域帯域通過手段（１５）を設け、判別手段（１６、１７）は、狭帯域帯域通過手段から出力された中間周波信号のレベルが所定の基準レベルを越えているか判別し、ＮＵＬＬシンボル検出手段（１６、１３Ａ）は、狭帯域帯域通過手段から出力された中間周波信号からＮＵＬＬシンボルの有無を検出するようにし、シーク制御手段（３８Ａ）は、シークが指示されたとき、受信手段（２Ａ）を記憶手段（４１）に記憶された各ディジタル放送の周波数に順に同調させていき、或る受信周波数で判別手段により周波数変換手段から出力された自動利得調整前の中間周波信号のレベルが基準レベルを越えていると判別され、かつ、ＮＵＬＬシンボル検出手段でＮＵＬＬシンボルが検出されたときシークを止め、判別手段により周波数変換手段から出力された自動利得調整前の中間周波信号のレベルが基準レベルを越えていないと判別されたか、或いは、ＮＵＬＬシンボル検出手段でＮＵＬＬシンボルが検出されていないときシークを続行するようにしたこと、を特徴としている。
【００２９】
請求項４の発明によれば、シーク中に或る受信周波数に同調すると、判別手段により周波数変換手段から出力された自動利得調整前の中間周波信号のレベルが基準レベルを越えていると判別され、かつ、ＮＵＬＬシンボル検出手段でＮＵＬＬシンボルが検出されたときシークを止め、判別手段により周波数変換手段から出力された自動利得調整前の中間周波信号のレベルが基準レベルを越えていないと判別されたか、或いは、ＮＵＬＬシンボル検出手段でＮＵＬＬシンボルが検出されていないときシークを続行する。
【００３０】
シーク中に或る受信周波数でシーク対象のディジタル放送信号が受信されれば、自動利得調整手段の前段側の周波数変換手段から出力された中間周波信号のレベルが大きくなるが、シーク対象に隣接した周波数の強電界または中電界強度のディジタル放送信号が受信されただけでは、自動利得調整手段の前段側の周波数変換手段から出力された中間周波信号のレベルは大きくならない。よって、自動利得調整手段の前段側の周波数変換手段から出力され、狭帯域帯域通過手段を通過した中間周波信号のレベルが所定の基準レベルを越え、かつ、当該中間周波信号よりＮＵＬＬシンボルの有無が検出されたときにシークを止めることで、シーク対象で受信可能なディジタル放送を正しく捕捉できる。
また、シーク中に或る受信周波数に同調したとき、周波数軸上で隣接した強電界のディジタル放送信号が受信されても、該妨害成分が狭帯域帯域通過手段で確実に阻止されるので、判別手段は、強力な隣接妨害を受けても中間周波信号のレベルが所定の基準レベルを越えていると間違って判別する恐れがなくなり、また、ＮＵＬＬシンボル検出手段は、強力な隣接妨害を受けても中間周波信号から隣接ディジタル放送のＮＵＬＬシンボルを間違って検出する恐れがなくなる。よって、シーク中にシーク対象の放送周波数に隣接した強電界のディジタル放送信号が存在したときに、誤ってシークを止めてしまう恐れがなくなる。
【００３１】
本発明の請求項５記載のディジタル放送受信機では、周波数変換手段（４、７）から出力された自動利得調整前の中間周波信号のレベルが基準レベルを越えているか判別する判別手段（１６、１７）を設けるとともに、ＮＵＬＬシンボル検出手段（１６、１３Ａ）は、周波数変換手段から出力された自動利得調整前の中間周波信号からＮＵＬＬシンボルの有無を検出するようにし、シーク制御手段（３８Ａ）は、シークが指示されたとき、受信手段（２Ａ）を記憶手段（４１）に記憶された各ディジタル放送の周波数に順に同調させていき、或る受信周波数で判別手段により、周波数変換手段から出力された自動利得調整前の中間周波信号のレベルが基準レベルを越えていると判別され、かつ、ＮＵＬＬシンボル検出手段でＮＵＬＬシンボルが検出されたとき、更に、自動周波数調整手段に周波数調整を行わせ、一定時間内に周波数誤差が一定以下に収束すればシークを止め、一定時間内に周波数誤差が一定以下に収束しなければシークを続行するようにしたこと、を特徴としている。
【００３２】
請求項５の発明によれば、シーク中に或る受信周波数に同調すると、判別手段により周波数変換手段から出力された自動利得調整前の中間周波信号のレベルが基準レベルを越えていると判別され、かつ、ＮＵＬＬシンボル検出手段で周波数変換手段から出力された自動利得調整前の中間周波信号からＮＵＬＬシンボルが検出されたとき、更に、自動周波数調整手段に周波数調整を行わせ、一定時間内に周波数誤差が一定以下に収束すればシークを止め、一定時間内に周波数誤差が一定以下に収束しなければシークを続行する。
【００３３】
シーク中に或る受信周波数に同調したとき、周波数軸上で隣接した強電界のディジタル放送信号が受信されたり、移動受信時のフェージング現象等によりディジタル放送信号以外のＴＶ放送信号等に時間軸上のディップが生じるなどして、シーク中にたまたま周波数変換手段から出力された中間周波信号のレベルが所定の基準レベルを越え、当該中間周波信号からＮＵＬＬシンボルが検出されても、自動周波数調整手段で周波数調整することはできない。よって、自動周波数調整手段で周波数調整しても一定時間内に周波数誤差が一定以下に収束しなければシークを続行することで、受信可能なディジタル放送の存在しない同調周波数で止まってしまうのを防止できる。
【００３４】
本発明の請求項６記載のディジタル放送受信機では、請求項５の受信機において、周波数変換手段（４、７）から出力された自動利得調整前の中間周波信号を入力する中間周波信号の信号帯域幅より狭い通過帯域幅を有する狭帯域帯域通過手段（１５）を設け、判別手段（１６、１７）は、狭帯域帯域通過手段から出力された中間周波信号のレベルが所定の基準レベルを越えているか判別し、ＮＵＬＬシンボル検出手段（１６、１３Ａ）は、狭帯域帯域通過手段から出力された中間周波信号からＮＵＬＬシンボルの有無を検出するようにしたことを特徴としている。
【００３５】
これにより、シーク中に或る受信周波数に同調したとき、周波数軸上で隣接した強電界のディジタル放送信号が受信されても、該妨害成分が狭帯域帯域通過手段で確実に阻止されるので、判別手段は、強力な隣接妨害を受けても中間周波信号のレベルが所定の基準レベルを越えていると間違って判別する恐れがなくなり、また、ＮＵＬＬシンボル検出手段は、強力な隣接妨害を受けても中間周波信号から隣接ディジタル放送のＮＵＬＬシンボルを間違って検出する恐れがなくなる。よって、シーク中にシーク対象の放送周波数に隣接した強電界のディジタル放送信号が存在したときに、誤ってシークを止めてしまう恐れがなくなる。
【００３６】
【発明の実施の形態】
次に、図１を参照して本発明の一つの実施の形態を説明する。
図１は本発明に係るシーク機能付ＤＡＢ受信機のブロック図であり、図６と同一の構成部分には同一の符号が付してある。
フロントエンド２ＡのＳＡＷフィルタ７の出力側に、通過帯域幅の中心がｆＩＦ１  、通過帯域幅が１．５３６ＭＨｚより狭い狭帯域帯域通過フィルタとしてのピーキングフィルタ１５が接続されており、フロントエンド２Ａが或るＤＡＢ放送のアンサンブルに同調したとき、周波数軸上で隣接する他のＤＡＢ放送のアンサンブルが受信されると、該隣接アンサンブルによる妨害成分を除去した第１中間周波信号が取り出される。ピーキングフィルタ１５の減衰特性を図２に示す。
【００３７】
ピーキングフィルタ１５の出力側には、包絡線検波回路１６が接続されており、ピーキングフィルタ１５で狭帯域化された第１中間周波信号に対し包絡線検波がされる（図４のａ参照）。包絡線検波回路１６の出力側にはＮＵＬＬシンボルの有無の検出をするＮＵＬＬ検出回路１３Ａと、第１中間周波信号のレベルが所定の基準レベルを越えているか判別する判別回路１７が接続されている。判別回路１７は、まず包絡線検波回路１６の出力を平均化して第１中間周波信号のレベルを示す平均電圧ＡＶを検出し、この平均電圧ＡＶを所定の基準レベルに相当する基準電圧ＥＣ  と比較し、ＡＶ＞ＥＣ  のときにＮＵＬＬ検出許可信号ＮＯＫをＮＵＬＬ検出回路１３Ａに出力する。
【００３８】
ＮＵＬＬ検出回路１３Ａは、判別回路１７からＮＵＬＬ検出許可信号ＮＯＫを入力していないときは、ＮＵＬＬシンボルの有無の検出動作をせず、出力をローレベルのままとし、判別回路１７からＮＵＬＬ検出許可信号ＮＯＫを入力している間だけ、図６の従来例のＮＵＬＬ検出回路１３と同様にして、ＮＵＬＬシンボルの有無の検出動作をする。すなわち、包絡線検波回路１６の出力を波形整形したのち（図４のｂ、図６のｂ参照）、立ち下がり時間長Ｔｄを計測し、ＤＡＢで規定されたいずれかの伝送モードのＮＵＬＬシンボル長に一致するとき、立ち上がりエッジのタイミングでＮＵＬＬシンボル検出信号ＮＤ（図４、図６のｃ参照）をタイミング同期回路１４、システムコントローラなどに出力する。また、伝送モード検出信号ＴＭも各部に出力する。
【００３９】
マイコン構成のシステムコントローラ３８Ａは、操作パネル３７でシークキーが押され、シーク指示が与えられると所定のシーク制御処理を実行し、また番組選択キーで番組選択操作がされると、所定の番組選択制御を行う。この内、シーク制御処理では、シーク停止条件として、ＮＵＬＬシンボルが検出されたことに加え、周波数誤差検出回路３３Ａ、積分回路３４、Ｄ／Ａ変換器３５、基準発振器６、ＰＬＬ回路５、１０の自動周波数調整系により周波数調整を行わせたときに、一定時間内に周波数誤差が一定以下に収まることを条件としている。
周波数誤差検出回路３３Ａは、周波数誤差データΔｆをシステムコントローラ３８Ａに出力する。
その他の構成部分は図６と全く同一に構成されている。
【００４０】
次に、図３と図４を参照して上記した実施の形態におけるシーク動作を説明する。図３はシステムコントローラ３８Ａのシーク制御処理を示すフローチャート、図４は判別回路とＮＵＬＬ検出回路の動作を示すタイムチャートである。
なお、ここでは説明の都合上、図１のシーク機能付ＤＡＢ受信機はバンドＩＩとバンドＩＩＩ  のＤＡＢ放送のアンサンブルの受信が可能であるとする。メモリ４１には予め、バンドＩＩ、バンドＩＩＩ  における１０個のアンサンブルの放送周波数データがメモリチャンネルＣＨ１〜ＣＨ１０に記憶されているものとする。
【００４１】
ユーザが操作パネル３７でシークキーを押し、シークを指示するとシステムコントローラ３８Ａは周波数誤差検出回路３３Ａに対しＡＦＣオフ指令を与えて、周波数誤差零を示すデータの出力をさせ、基準発振器６の発振周波数を固定させる（図３のステップＳ１０）。
そして、メモリ４１を参照してメモリチャンネルＣＨ１に記憶された最初のアンサンブルの放送周波数データを読み出し、該放送周波数データに対応するｎ１  をＰＬＬ回路５に設定し、最初のアンサンブルに同調させる（ステップＳ１１）。次に、ＮＵＬＬ検出回路１３ＡからＮＵＬＬシンボル検出信号ＮＤが入力されたかチェックする（ステップＳ１２）。
【００４２】
ここで、シーク対象のアンサンブルが受信されず、周波数軸上で隣接する弱電界または中電界強度のアンサンブルが受信されただけのとき、ＡＧＣ増幅器８の前段から取り出した第１中間周波信号で見たときの当該隣接アンサンブルの受信レベルは小さく、また、周波数軸上で隣接する強電界強度のアンサンブルが受信されただけのときも、ＡＧＣ増幅器８の前段から更にピーキングフィルタ１５を介して取り出した第１中間周波信号で見たときの当該隣接アンサンブルの受信レベルは小さい。
【００４３】
ピーキングフィルタ１５の出力は包絡線検波回路１６で包絡線検波されて判別回路１７、ＮＵＬＬ検出回路１３Ａに入力されるが（図４（１）のａ参照）、判別回路１７は包絡線検波回路１６の出力から検出した平均電圧ＡＶが基準電圧ＥＣ  を下回るので（図４（１）参照）、ＮＵＬＬ検出許可信号ＮＯＫをＮＵＬＬ検出回路１３Ａに出力しない。よって、ＮＵＬＬ検出回路１３ＡはＮＵＬＬシンボルの検出動作をせず、ＮＵＬＬシンボル検出信号ＮＤをローに保持する。
【００４４】
このとき、システムコントローラ３８ＡはステップＳ１２でＮＯとなり、今回の受信周波数でアンサンブルが受信されていないことを正しく判断でき、間違った受信周波数でシークを止めずに済む。すなわち、ステップＳ１２でＮＯとなったとき、メモリ４１を参照してまだ最後のメモリチャンネルでないので次のメモリチャンネルＣＨ２に記憶されたアンサンブルの放送周波数データを読み出し、対応するｎ１  をＰＬＬ回路５に設定し、２番目のアンサンブルに同調させる（ステップＳ１３、Ｓ１４）。
【００４５】
ここで、シーク対象のアンサンブルが受信されたとすると、ＡＧＣ増幅器８の前段から更にピーキングフィルタ１５を介して取り出した第１中間周波信号であっても信号レベルは或る程度高くなる。ピーキングフィルタ１５の出力は包絡線検波回路１５で包絡線検波されて判別回路１７、ＮＵＬＬ検出回路１３Ａに入力されるが（図４（２）のａ参照）、判別回路１７は包絡線検波回路１６の出力から検出した平均電圧ＡＶが基準電圧ＥＣ  を越えるので（図４（２）参照）、ＮＵＬＬ検出許可信号ＮＯＫをＮＵＬＬ検出回路１３Ａに出力する。
【００４６】
ＮＵＬＬ検出許可信号ＮＯＫを入力したＮＵＬＬ検出回路１３Ａは、包絡線検波回路１６の出力に対し、波形整形をしたのち（図４（２）のｂ参照）、立ち下がり時間長Ｔｄを計測し、ＤＡＢで規定されたいずれかの伝送モードのＮＵＬＬシンボル長に一致すれば、立ち上がりエッジのタイミングでＮＵＬＬシンボル検出信号ＮＤ（図４（２）参照）をタイミング同期回路１４、システムコントローラ３８Ａなどに出力する。また、伝送モード検出信号も各部に出力する。ＮＵＬＬシンボル検出信号ＮＤを用いてタイミング同期回路１４はフレーム同期を検出して、同期検出信号を出力し、図示しないタイミング信号生成回路が各種タイミング信号を生成して出力する。
【００４７】
システムコントローラ３８ＡはＮＵＬＬシンボル検出信号ＮＤが入力されると、ステップＳ１２でＹＥＳと判断する。但し、今回のＮＵＬＬシンボルの検出がたまたま周波数軸上で隣接した強電界のディジタル放送信号が受信されたり、移動受信時のフェージング現象等によりディジタル放送信号以外のＴＶ放送信号等に時間軸上のディップが生じるなどして、シーク中にたまたまピーキングフィルタ１５から出力された第１中間周波信号のレベルが所定の基準レベルを越え、当該中間周波信号からＮＵＬＬシンボルが検出された可能性が全くないとは言えない。よって、ＮＵＬＬシンボルの検出だけでシーク停止条件の成立とはしない。
【００４８】
すなわち、ステップＳ１２でＹＥＳとなったとき、周波数誤差検出回路３３Ａに対しＡＦＣオン指令を与え、一定時間の計時をするタイマをスタートさせる（ステップＳ１５、Ｓ１６）。
フロントエンド２Ａから出力された第２中間周波信号はＡ／Ｄ変換後、Ｉ／Ｑ復調回路３１でＩ／Ｑ復調されて図５の伝送フレーム信号が復元される。Ｉ／Ｑ復調回路３１の出力からはＦＦＴ回路３２によりシンボル単位でＯＦＤＭ被変調波を構成しているｎ本（伝送モード１の場合、ｎ＝１５３６、伝送モード２の場合、ｎ＝３８４本、伝送モード３の場合、ｎ＝１９２本、伝送モード４の場合、ｎ＝７６８本）のキャリアのキャリア別成分が抽出される。ＦＦＴ回路３２はＰＲＳ部分のキャリア別成分を周波数誤差検出回路３３Ａに出力し、周波数誤差検出回路３３Ａにより、キャリア間差動復調して復号されたのち、所定の既知の基準符号との間の相関関数が計算される。そして、求めた相関関数から周波数誤差を計算により検出し、検出した周波数誤差データを積分回路３４に出力する。この周波数誤差データは積分回路３４で積分されたあとＤ／Ａ変換器３５でＤ／Ａ変換され、自動周波数調整用の制御電圧として基準発振器６に出力される。基準発振器６は制御電圧に応じて発振周波数ｆ１  を可変し、第１ローカル発振信号Ｌ１  と第２ローカル発振信号Ｌ２  の周波数を、周波数誤差を打ち消す方向に可変させる。
【００４９】
今回のＮＵＬＬシンボルの検出がアンサンブルによるものでなく、たまたま移動受信時のフェージング現象等でＤＡＢ放送信号以外のＴＶ放送信号等に時間軸上のディップが生じただけであるとき、ＡＦＣオン後一定時間が経過しても周波数誤差は小さくならない。
【００５０】
システムコントローラ３８Ａはタイマが一定時間の計時を終え、タイムアップしたところで、周波数誤差検出回路３３Ａからその時点の周波数誤差データΔｆを入力し、一定以下に収束しているかチェックする（ステップＳ１７、Ｓ１８）。ＮＯであれば、本来、周波数引き込みが不可能であるにも関わらず、何らかの事情で誤ってＮＵＬＬシンボルが検出されただけと判断し、周波数誤差検出回路３３Ａに対しＡＦＣオフ指令を与え、積分回路３４に周波数誤差零のデータを出力するようにしたあと（ステップＳ１９）、ステップＳ１３に進み、次のメモリチャンネルＣＨ３に記憶されたアンサンブルに同調させ（ステップＳ１４、Ｓ１１）、以下、前述と同様の処理を行う。
これにより、存在しないＤＡＢ放送に対し無駄に周波数引き込み動作を継続しなくて済み、シークの高速化、正確化が可能となる。
【００５１】
これと反対に、元々、今回のシーク対象のＤＡＢ放送のアンサンブルが存在しており、第１中間周波信号で見たとき、受信したアンサンブルの中心周波数がＳＡＷフィルタ７の中心周波数ｆＩＦ１  に近く、ＡＦＣにより周波数引き込みが可能であればＡＦＣが正常に働き時間の経過とともに周波数誤差は零に収束していく。このときはステップＳ１８でＹＥＳとなり、アンサンブルの番組を正常に聴取可能なので、シークを終える。
ＦＦＴ回路３２から入力した各シンボルのキャリア別成分からチャンネルデコーダ３６はＦＩＣとＭＳＣの情報を復元する。ユーザが操作パネル３７で所望番組を選択すると、システムコントローラ３８Ａはチャンネルデコーダ３６に指示して所望番組のＤＡＢオーディオフレームデータをＭＰＥＧデコーダ３９へ出力させる。これにより、所望番組を聴取できる。
【００５２】
上記した実施の形態によれば、シーク中に或る受信周波数に同調すると、包絡線検波回路１６と判別回路１７により、ＡＧＣ増幅器８の前段から取り出した第１中間周波信号のレベルが所定の基準レベルを越えているか判別し、所定の基準レベルを越えているときに、包絡線検波回路１６とＮＵＬＬ検出回路１３Ａにより、当該第１中間周波信号からＮＵＬＬシンボルの有無を検出し、ＮＵＬＬシンボルが検出されたときにシークを止めることで、シーク対象であり、かつ受信可能なアンサンブルを正しく捕捉できる。
【００５３】
また、ＡＧＣ増幅器１８の前段からＤＡＢ放送の受信信号帯域幅より狭い通過帯域幅を有するピーキングフィルタ１５を介して第１中間周波信号を取り出すので、隣接アンサンブルが強電界であっても、判別回路１７が第１中間周波信号のレベルが所定の基準レベルを越えていると間違って判別する恐れがなくなる。
また、ＮＵＬＬシンボルが検出されたとき更に、ＡＦＣにより一定時間内に周波数誤差が一定以下に収束したか判別し、収束しなかったときは、移動受信時のフェージング現象等によりアンサンブル以外のＴＶ放送信号等に生じた時間軸上のディップを誤ってＮＵＬＬシンボルとして検出しただけであると判断し、シークを終えることなく他のアサンブルのシークを続行するので番組を聴取可能なアンサンブルを迅速かつ正確に受信できる。
【００５４】
なお、ＮＵＬＬ検出回路１３Ａは従来のＮＵＬＬ検出回路１３と同じく、包絡線検波回路１６の出力から常にＮＵＬＬシンボルの有無の検出を行い、ＮＵＬＬシンボルが検出されたときＮＵＬＬシンボル検出信号ＮＤをシステムコントローラ３８Ａ等に出力するようにし、また、判別回路１７はＮＵＬＬ検出許可信号ＮＯＫをシステムコントローラ３８Ａに出力するようにし、システムコントローラ３８Ａは、図３のステップＳ１１とＳ１２の間で、判別回路１７からＮＵＬＬ検出許可信号ＮＯＫが入力されたかチェックし、ＹＥＳのときステップＳ１２の処理をし、ＮＯのときはステップＳ１３へ進むようにしても良い。
また、ピーキングフィルタ１５を省略し、ＳＡＷフィルタ７の出力をそのまま包絡線検波回路１６に入力するようにしても良い。
【００５５】
なお、上記した各実施の形態及び変形例では、ヨーロッパで実施されているＤＡＢ放送を対象にして説明したが、本発明は何らこれに限定されるものでなく、ＮＵＬＬシンボルの存在するＯＦＤＭ被変調波を用いるディジタル放送であれば、ディジタル地上波ＴＶ放送、ディジタル衛星放送など、他の用途の放送、通信等にも同様に適用することができる。
【００５６】
【発明の効果】
本発明によれば、自動利得調整手段の前段側の周波数変換手段から出力された中間周波信号のレベルが所定の基準レベルを越えているときに、当該中間周波信号よりＮＵＬＬシンボルの有無を検出し、ＮＵＬＬシンボルが検出されたときにシークを止めることで、シーク対象で、かつ受信可能なディジタル放送を正しく捕捉できる。
【図面の簡単な説明】
【図１】本発明の一つの実施の形態に係るシーク機能付ＤＡＢ受信機のブロック図である。
【図２】図１中のピーキングフィルタの減衰特性を示す線図である。
【図３】図１のシステムコントローラによるシーク制御処理を示すフローチャートである。
【図４】図１におけるＮＵＬＬシンボル検出動作を説明するタイムチャートである。
【図５】ＤＡＢの伝送フレーム信号の構成とＮＵＬＬシンボルの検出動作を説明する説明図である。
【図６】従来のシーク機能付ＤＡＢ受信機のブロック図である。
【図７】図６のシステムコントローラによるシーク制御処理を示すフローチャートである。
【図８】第１中間周波信号で見たアンサンブルの周波数スペクトラムを示す線図である。
【図９】周波数誤差検出回路の動作を示す線図である。
【図１０】第１中間周波信号で見たアンサンブルの周波数スペクトラムを示す線図である。
【図１１】ＳＡＷフィルタの入力側の第１中間周波信号で見たアンサンブルの周波数スペクトラムを示す線図である。
【図１２】ＳＡＷフィルタの出力側の第１中間周波信号で見たアンサンブルの周波数スペクトラムを示す線図である。
【図１３】ＡＧＣ増幅器の出力側の第１中間周波信号で見たアンサンブルの周波数スペクトラムを示す線図である。
【符号の説明】
１  アンテナ                      ２Ａ  フロントエンド
３  ＲＦ増幅回路                  ４、９  混合器
５、１０  ＰＬＬ回路              ６  基準発振器
７  ＳＡＷフィルタ                ８  ＡＧＣ増幅器
１１  アンチエリアシングフィルタ  １２、１６  包絡線検波回路
１３Ａ  ＮＵＬＬ検出回路          １５  ピーキングフィルタ
１７  判別回路                    ３１  Ｉ／Ｑ復調回路
３２  ＦＦＴ回路                  ３３Ａ  周波数誤差検出回路
３４  積分回路                    ３５  Ｄ／Ａ変換器
３６  チャンネルデコーダ          ３７  操作パネル
３８Ａ  システムコントローラ      ３９  ＭＰＥＧデコーダ
４１  メモリ
【図１】
0003568186.tif 000002
【図２】
0003568186.tif 000003
【図３】
0003568186.tif 000004
【図４】
0003568186.tif 000005
【図５】
0003568186.tif 000006
【図６】
0003568186.tif 000007
【図７】
0003568186.tif 000008
【図８】
0003568186.tif 000009
【図９】
0003568186.tif 000010
【図１０】
0003568186.tif 000011
【図１１】
0003568186.tif 000012
【図１２】
0003568186.tif 000013
【図１３】
0003568186.tif 000014